【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
ワイヤレス通信システムにおける間欠受信（ＤＲＸ）動作のための方法であって、
フレームインデックスをブロードキャストすることと、前記フレームインデックスが、少なくとも１つのレガシーユーザ機器（ＵＥ）によって第１のＤＲＸモードのために利用される反復フレームサイクルのシステムフレーム番号（ＳＦＮ）を決定するために使用され、前記少なくとも１つのレガシーＵＥが、拡張ＳＦＮ範囲を使用するように構成されない、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用され、前記少なくとも１つの非レガシーＵＥが、前記拡張ＳＦＮ範囲を使用するように構成される、
前記第１のＤＲＸモードのために利用可能な最大ＤＲＸサイクルよりも大きい拡張ＤＲＸモードに従って、前記第２のＤＲＸモードのために前記少なくとも１つの非レガシーＵＥを構成することと、
前記拡張ＤＲＸサイクルにおける少なくとも１つのページングオケージョンにおいて前記少なくとも１つの非レガシーＵＥのためのページング情報を送信することと、ここにおいて、前記ページング情報が、拡張ＵＥ識別子に基づいて前記少なくとも１つのページングオケージョンを決定することを可能にし、前記少なくとも１つのページングオケージョンが、前記反復フレームサイクルのインデックスの数よりも大きい可能な値の範囲を有する、
を備える、方法。
【請求項２】
前記第２のＤＲＸモードのための前記拡張ＤＲＸサイクルをブロードキャストすることをさらに備える、請求項１に記載の方法。
【請求項３】
前記ページング情報が、ページング情報を受信するために前記少なくとも１つのレガシーＵＥによって使用される第１の無線ネットワーク一時識別子（ＲＮＴＩ）とは異なる第２のＲＮＴＩによって識別される、請求項１に記載の方法。
【請求項４】
前記ハイパーフレームインデックスをブロードキャストすることが、前記フレームインデックスをブロードキャストするために使用される第１の情報ブロックとは異なる第２の情報ブロックを使用して、前記ハイパーフレームインデックスを送信することを備える、請求項１に記載の方法。
【請求項５】
システム情報の修正を前記拡張ＤＲＸサイクルに同期させることをさらに備える、請求項１に記載の方法。
【請求項６】
前記フレームインデックスをブロードキャストすることが、物理ブロードキャストチャネルを介して前記フレームインデックスを送信することを備える、請求項１に記載の方法。
【請求項７】
前記第２のＤＲＸモードがアイドルＤＲＸ（Ｉ−ＤＲＸ）モードを備える、請求項１に記載の方法。
【請求項８】
ワイヤレス通信システムにおける間欠受信（ＤＲＸ）動作のための方法であって、
フレームインデックスを計算することと、前記フレームインデックスが、第１のＤＲＸモードのためにレガシーユーザ機器（ＵＥ）によって利用される反復フレームサイクルのシステムフレーム番号（ＳＦＮ）を示し、前記レガシーＵＥが、拡張ＳＦＮ範囲を使用するように構成されない、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
拡張ＵＥ識別子に基づいて、少なくとも１つのページングオケージョンを決定することと、前記少なくとも１つのページングオケージョンが、前記反復フレームサイクルのインデックスの数よりも大きい可能な値の範囲を有する、
前記拡張ＤＲＸサイクルに従って前記拡張フレームサイクルの前記少なくとも１つのページングオケージョンを監視することと、
前記少なくとも１つのページングオケージョンにおいてページング情報を受信することと
を備える、方法。
【請求項９】
前記ページング情報が、ページング情報を受信するために前記レガシーＵＥによって使用される第１の無線ネットワーク一時識別子（ＲＮＴＩ）とは異なる第２のＲＮＴＩによって識別される、請求項８に記載の方法。
【請求項１０】
前記フレームインデックスを計算することが、物理ブロードキャストチャネルを介して前記フレームインデックスを受信することを備える、請求項８に記載の方法。
【請求項１１】
前記第２のＤＲＸモードがアイドルＤＲＸ（Ｉ−ＤＲＸ）モードを備える、請求項８に記載の方法。
【請求項１２】
ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスをブロードキャストすることと、前記フレームインデックスが、少なくとも１つのレガシーユーザ機器（ＵＥ）によって第１のＤＲＸモードのために利用される反復フレームサイクルのシステムフレーム番号（ＳＦＮ）を決定するために使用され、前記少なくとも１つのレガシーＵＥが、拡張ＳＦＮ範囲を使用するように構成されない、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用され、前記少なくとも１つの非レガシーＵＥが、前記拡張ＳＦＮ範囲を使用するように構成される、
前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成することと、
前記拡張ＤＲＸサイクルの少なくとも１つのページングオケージョンにおいて前記少なくとも１つの非レガシーＵＥのためのページング情報を送信することと、ここにおいて、前記ページング情報が、拡張ＵＥ識別子に基づいて前記少なくとも１つのページングオケージョンを決定することを可能にし、前記少なくとも１つのページングオケージョンが、前記反復フレームサイクルのインデックスの数よりも大きい可能な値の範囲を有する、
を行うために前記プロセッサによって実行可能である、装置。
【請求項１３】
ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスを計算することと、前記フレームインデックスが、第１のＤＲＸモードのためにレガシーユーザ機器（ＵＥ）によって利用される反復フレームサイクルのシステムフレーム番号（ＳＦＮ）を示し、前記レガシーＵＥが、拡張ＳＦＮ範囲を使用するように構成されない、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
拡張ＵＥ識別子に基づいて、少なくとも１つのページングオケージョンを決定することと、前記少なくとも１つのページングオケージョンが、前記反復フレームサイクルのインデックスの数よりも大きい可能な値の範囲を有する、
前記拡張ＤＲＸサイクルに従って前記拡張フレームサイクルの前記少なくとも１つのページングオケージョンを監視することと、
前記少なくとも１つのページングオケージョンにおいてページング情報を受信することと
を行うために前記プロセッサによって実行可能である、装置。
【請求項１４】
コンピュータプログラムがコンピュータシステムによって実行されるとき、前記コンピュータシステムに、請求項１〜請求項７のうちのいずれか一項の方法のステップを実行させるための命令を備える、コンピュータプログラム。
【請求項１５】
コンピュータプログラムがコンピュータシステムによって実行されるとき、前記コンピュータシステムに、請求項８〜請求項１１のうちのいずれか一項の方法のステップを実行させるための命令を備える、コンピュータプログラム。
【手続補正２】
【補正対象書類名】明細書
【補正対象項目名】０１３１
【補正方法】変更
【補正の内容】
【０１３１】
[00135]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
[Ｃ１]  ワイヤレス通信システムにおける間欠受信（ＤＲＸ）動作のための方法であって、
フレームインデックスをブロードキャストすることと、前記フレームインデックスが、少なくとも１つのレガシーユーザ機器（ＵＥ）によって第１のＤＲＸモードのために利用される反復フレームサイクルのフレーム番号を決定するために使用される、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用される、を備える、方法。
[Ｃ２]  前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成することをさらに備える、Ｃ１に記載の方法。
[Ｃ３]  前記第２のＤＲＸモードのための前記拡張ＤＲＸサイクルをブロードキャストすることをさらに備える、Ｃ２に記載の方法。
[Ｃ４]  前記拡張ＤＲＸサイクルのページングオケージョンにおいて前記少なくとも１つの非レガシーＵＥのためのページング情報を送信することをさらに備える、Ｃ２に記載の方法。
[Ｃ５]  前記ページング情報が、ページング情報を受信するために前記少なくとも１つのレガシーＵＥによって使用される第１の無線ネットワーク一時識別子（ＲＮＴＩ）とは異なる第２のＲＮＴＩによって識別される、Ｃ４に記載の方法。
[Ｃ６]  前記ハイパーフレームインデックスをブロードキャストすることが、前記フレームインデックスをブロードキャストするために使用される第１の情報ブロックとは異なる第２の情報ブロックを使用して、前記ハイパーフレームインデックスを送信することを備える、Ｃ１に記載の方法。
[Ｃ７]  システム情報の修正を拡張ＤＲＸサイクルに同期させることをさらに備える、Ｃ１に記載の方法。
[Ｃ８]  前記フレームインデックスをブロードキャストすることが、物理ブロードキャストチャネルを介して前記フレームインデックスを送信することを備える、Ｃ１に記載の方法。
[Ｃ９]  前記ハイパーフレームインデックスをブロードキャストすることが、物理ダウンリンクデータチャネルを介してシステム情報ブロック（ＳＩＢ）中で前記ハイパーフレームインデックスを送信することを備える、Ｃ１に記載の方法。
[Ｃ１０]  前記第２のＤＲＸモードがアイドルＤＲＸ（Ｉ−ＤＲＸ）モードを備える、Ｃ１に記載の方法。
[Ｃ１１]  ワイヤレス通信システムにおける間欠受信（ＤＲＸ）動作のための方法であって、
フレームインデックスを計算することと、前記フレームインデックスが、第１のＤＲＸモードのためにレガシーユーザ機器（ＵＥ）によって利用される反復フレームサイクルのフレーム番号を示す、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
前記拡張ＤＲＸサイクルに従って前記拡張フレームサイクルの少なくとも１つのページングオケージョンを監視することとを備える、方法。
[Ｃ１２]  前記反復フレームサイクルのインデックスの数よりも大きい可能な値の範囲を有する拡張ＵＥ識別子に基づいて、前記少なくとも１つのページングオケージョンを決定することをさらに備える、Ｃ１１に記載の方法。
[Ｃ１３]  前記少なくとも１つのページングオケージョンにおいてページング情報を受信することをさらに備える、Ｃ１１に記載の方法。
[Ｃ１４]  前記ページング情報が、ページング情報を受信するために前記レガシーＵＥによって使用される第１の無線ネットワーク一時識別子（ＲＮＴＩ）とは異なる第２のＲＮＴＩによって識別される、Ｃ１３に記載の方法。
[Ｃ１５]  前記フレームインデックスを計算することが、物理ブロードキャストチャネルを介して前記フレームインデックスを受信することを備える、Ｃ１１に記載の方法。
[Ｃ１６]  前記ハイパーフレームインデックスを受信することが、物理ダウンリンクデータチャネルを介してシステム情報ブロック（ＳＩＢ）中で前記ハイパーフレームインデックスを受信することを備える、Ｃ１１に記載の方法。
[Ｃ１７]  前記第２のＤＲＸモードがアイドルＤＲＸ（Ｉ−ＤＲＸ）モードを備える、Ｃ１１に記載の方法。
[Ｃ１８]  ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスをブロードキャストすることと、前記フレームインデックスが、少なくとも１つのレガシーユーザ機器（ＵＥ）によって第１のＤＲＸモードのために利用される反復フレームサイクルのフレーム番号を決定するために使用される、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用される、を行うために前記プロセッサによって実行可能である、装置。
[Ｃ１９]  前記命令が、
前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成するために前記プロセッサによってさらに実行可能である、Ｃ１８に記載の装置。
[Ｃ２０]  前記命令が、
前記第２のＤＲＸモードのための前記拡張ＤＲＸサイクルをブロードキャストするために前記プロセッサによってさらに実行可能である、Ｃ１９に記載の装置。
[Ｃ２１]  前記命令が、
前記拡張ＤＲＸサイクルのページングオケージョンにおいて前記少なくとも１つの非レガシーＵＥのためのページング情報を送信するために前記プロセッサによってさらに実行可能である、Ｃ１９に記載の装置。
[Ｃ２２]  前記ページング情報が、ページング情報を受信するために前記少なくとも１つのレガシーＵＥによって使用される第１の無線ネットワーク一時識別子（ＲＮＴＩ）とは異なる第２のＲＮＴＩによって識別される、Ｃ２１に記載の装置。
[Ｃ２３]  前記ハイパーフレームインデックスをブロードキャストすることが、前記フレームインデックスをブロードキャストするために使用される第１の情報ブロックとは異なる第２の情報ブロックを使用して、前記ハイパーフレームインデックスを送信することを備える、Ｃ１８に記載の装置。
[Ｃ２４]  前記命令が、
システム情報の修正を拡張ＤＲＸサイクルに同期させるために前記プロセッサによってさらに実行可能である、Ｃ１８に記載の装置。
[Ｃ２５]  ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスを計算することと、前記フレームインデックスが、第１のＤＲＸモードのためにレガシーユーザ機器（ＵＥ）によって利用される反復フレームサイクルのフレーム番号を示す、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
前記拡張ＤＲＸサイクルに従って前記拡張フレームサイクルの少なくとも１つのページングオケージョンを監視することとを行うために前記プロセッサによって実行可能である、装置。
[Ｃ２６]  前記命令が、
前記反復フレームサイクルのインデックスの数よりも大きい可能な値の範囲を有する拡張ＵＥ識別子に基づいて、前記少なくとも１つのページングオケージョンを決定するために前記プロセッサによってさらに実行可能である、Ｃ２５に記載の装置。
[Ｃ２７]  前記命令が、
前記少なくとも１つのページングオケージョンにおいてページング情報を受信するために前記プロセッサによってさらに実行可能である、Ｃ２５に記載の装置。
[Ｃ２８]  前記ページング情報が、ページング情報を受信するために前記レガシーＵＥによって使用される第１の無線ネットワーク一時識別子（ＲＮＴＩ）とは異なる第２のＲＮＴＩによって識別される、Ｃ２７に記載の装置。
[Ｃ２９]  前記フレームインデックスを計算することが、物理ブロードキャストチャネルを介して前記フレームインデックスを受信することを備える、Ｃ２５に記載の装置。
[Ｃ３０]  前記ハイパーフレームインデックスを受信することが、物理ダウンリンクデータチャネルを介してシステム情報ブロック（ＳＩＢ）中で前記ハイパーフレームインデックスを受信することを備える、Ｃ２５に記載の装置。